(57)【要約】【課題】本発明は、色再現性が良好で、かつ反射光用領域における画素部の輝度の高い半透過型液晶表示装置用カラーフィルタを提供することを主目的としている。【解決手段】上記目的を達成するために、本発明は、透明基板と、前記透明基板上に形成された透過光用画素部および反射光用画素部とを有する半透過型液晶表示装置用カラーフィルタであって、前記透過光用画素部は、イエロー着色層とマゼンタ着色層との積層からなる赤色画素部、イエロー着色層とシアン着色層との積層からなる緑色画素部、およびシアン着色層とマゼンタ着色層との積層からなる青色画素部を有し、かつ前記反射光用画素部は、シアン着色層からなるシアン画素部、マゼンタ着色層からなるマゼンタ画素部、およびイエロー着色層からなるイエロー画素部を有することを特徴とする半透過型液晶表示装置用カラーフィルタを提供する。【選択図】図１
2008203666.tif 000002
【特許請求の範囲】
【請求項１】
透明基板と、前記透明基板上に形成された透過光用画素部および反射光用画素部とを有する半透過型液晶表示装置用カラーフィルタであって、
前記透過光用画素部は、イエロー着色層とマゼンタ着色層との積層からなる赤色画素部、イエロー着色層とシアン着色層との積層からなる緑色画素部、およびシアン着色層とマゼンタ着色層との積層からなる青色画素部を有し、かつ前記反射光用画素部は、シアン着色層からなるシアン画素部、マゼンタ着色層からなるマゼンタ画素、およびイエロー着色層からなるイエロー画素部を有することを特徴とする半透過型液晶表示装置用カラーフィルタ。
【請求項２】
前記透過光用画素部は、さらにシアン着色層からなるシアン画素部、マゼンタ着色層からなるマゼンタ画素部、およびイエロー着色層からなるイエロー画素部を有することを特徴とする請求項１に記載の半透過型液晶表示装置用カラーフィルタ。
【発明の詳細な説明】
【技術分野】
【０００１】
本発明は、半透過型液晶表示装置に用いられ、色再現性に優れた半透過型液晶表示装置用カラーフィルタに関する。
【背景技術】
【０００２】
近年、液晶表示装置として、外光の反射と、バックライト光の透過光とを利用した半透過型液晶表示装置が開発され、この半透過型液晶表示装置は、外光を利用して表示を行なう従来の反射型カラー液晶表示装置に、バックライトを兼ね備え、周囲が暗い場合でもバックライトによる表示（透過表示）が行なえる、という利点を有する。
【０００３】
この半透過型液晶表示装置には、通常、透過光用領域および反射光用領域のそれぞれに赤（Ｒ）、緑（Ｇ）、および青（Ｂ）の３原色の着色層を備えたカラーフィルタが設けられており、このカラーフィルタのＲ、Ｇ、およびＢのそれぞれの画素に対応する電極をＯＮ、ＯＦＦさせることで液晶がシャッタとして作動し、Ｒ、Ｇ、およびＢのそれぞれの画素を光が通過してカラー表示が行われる。
【０００４】
そこで、例えば図５に示すように、カラーフィルタ１００およびカラーフィルタ１００に対向して配置される対向基板１１０よりなる半透過型液晶表示装置において、透明基板１０１のうち、反射表示に用いられる反射光用領域ｒと透過表示に用いられる透過光用領域ｔとで異なる色濃度の着色層をそれぞれ形成することにより、透過表示の場合と反射表示の場合との表示品質を近いものとするカラーフィルタが一般的に知られている。しかしながら、このようなカラーフィルタでは、Ｒ、Ｇ、およびＢの画素それぞれに対して反射光用領域と透過光用領域とを個別に形成する工程が必要となるため、工程数が多く煩雑であるという問題があった。
【０００５】
これに対し、工程数を削減しながら同様の効果を得るために、例えば図６に示すように、透明基板１０１のうち、反射表示に用いられる反射光用領域ｒにのみ、所定の膜厚を有する透明樹脂層１０２を形成し、その透明樹脂層１０２を覆うように着色層１０３を形成することにより、反射光用領域ｒに形成される着色層の膜厚が、透過表示に用いられる透過光用領域ｔに形成される着色層の膜厚よりも薄くなるように形成されたカラーフィルタが提案されている（特許文献１参照）。しかしながら、このようなカラーフィルタにおいては、着色層１０３を形成するために使用する材料の物理特性や工程の諸条件によって透過光用領域ｔと反射光用領域ｒとの膜厚の関係が影響を受けるため、好ましい膜厚に制御することが困難な場合があるという問題があった。
【０００６】
一方、半透過型液晶表示装置に用いられるカラーフィルタは、反射光用領域の輝度向上が求められている。そこで、例えば特許文献２には、反射光用領域の輝度向上のために、反射光用領域が、マゼンタ着色層およびイエロー着色層を並列に並べた赤色画素部と、イエロー着色層およびシアン着色層を並列に並べた緑色画素部と、シアン着色層およびマゼンタ着色層を並列に並べた青色画素部とからなり、それぞれの画素部の各色の着色層の加法による混色で、赤色、緑色および青色の表示が行われる半透過型液晶表示装置用カラーフィルタが開示されている。しかしながら、このように２色の着色層を同時発色させて１色の色を表示する場合、表示される色のｘｙ色度図における色座標は、同時発色させる色の色座標同士を結んだ直線上に位置することとなるため、色表現が可能な領域、すなわち赤色、緑色および青色の色座標を結んだ図形領域が狭まり、色再現性が低下するといった問題を有するものであった。
【０００７】
【特許文献１】特開２００４−０８５９８６号公報
【特許文献２】特開２００２−２５８０２９号公報
【発明の開示】
【発明が解決しようとする課題】
【０００８】
そこで、色再現性が良好で、かつ反射光用領域の画素部において輝度が高く、また製造効率に優れた半透過型液晶表示装置用カラーフィルタの提供が望まれている。
【課題を解決するための手段】
【０００９】
本発明は、透明基板と、上記透明基板上に形成された透過光用画素部および反射光用画素部とを有する半透過型液晶表示装置用カラーフィルタであって、上記透過光用画素部は、イエロー着色層とマゼンタ着色層との積層からなる赤色画素部、イエロー着色層とシアン着色層との積層からなる緑色画素部、およびシアン着色層とマゼンタ着色層との積層からなる青色画素部を有し、かつ上記反射光用画素部は、シアン着色層からなるシアン画素部、マゼンタ着色層からなるマゼンタ画素部、およびイエロー着色層からなるイエロー画素部、を有することを特徴とする半透過型液晶表示装置用カラーフィルタを提供する。
【００１０】
本発明によれば、反射光用画素部が、シアン画素部、マゼンタ画素部およびイエロー画素部を有するものとすることにより、２色の着色層を同時に発色させて１色の画素部を表示する反射光用画素部と比較して、色再現領域が広いものとすることができるため、色再現性が良好な反射光用画素部とすることができる。また、上記反射光用画素部における各画素部の透過率が高いものとすることができるため、半透過型液晶表示装置に用いた際、反射光用画素部の輝度が高いものとすることができる。
また、本発明によれば、透過光用画素部が上記色の着色層を積層させてなる赤色画素部、緑色画素部および青色画素部からなるものであることにより、透過光用画素部において色再現領域が広く、色再現性の良好なカラーフィルタとすることができる。
さらに、本発明によれば、３色の着色層から６画素を形成されたものであることにより、製造効率良く製造することが可能なカラーフィルタとすることができる。
【００１１】
上記発明においては、上記透過光用画素部は、さらにシアン着色層からなるシアン画素部、マゼンタ着色層からなるマゼンタ画素部、およびイエロー着色層からなるイエロー画素部を有することが好ましい。これにより、透過光用画素部において、色再現性がより良好となるからである。
【発明の効果】
【００１２】
本発明によれば、色再現性が良好で、かつ反射光用領域において輝度が高く、また製造効率に優れた半透過型液晶表示装置用カラーフィルタとすることができるという効果を奏する。
【発明を実施するための最良の形態】
【００１３】
以下、本発明の半透過型液晶表示装置用カラーフィルタ（以下、単にカラーフィルタと称する場合がある。）について説明する。
本発明の半透過型液晶表示装置用カラーフィルタは、透明基板と、前記透明基板上に形成された透過光用画素部および反射光用画素部とを有する半透過型液晶表示装置用カラーフィルタであって、前記透過光用画素部は、イエロー着色層とマゼンタ着色層との積層からなる赤色画素部、イエロー着色層とシアン着色層との積層からなる緑色画素部、およびシアン着色層とマゼンタ着色層との積層からなる青色画素部を有し、かつ前記反射光用画素部は、シアン着色層からなるシアン画素部、マゼンタ着色層からなるマゼンタ画素部、およびイエロー着色層からなるイエロー画素部を有することを特徴とするものである。
【００１４】
本発明の半透過型液晶表示装置用カラーフィルタは、例えば図１に示すように、透明基板１と、上記透明基板１上に形成された透過光用画素部ａおよび反射光用画素部ｂとを有し、上記透過光用画素部ａは、イエロー着色層３Ｙとマゼンタ着色層３Ｍとの積層からなる赤色画素部４Ｒ、イエロー着色層３Ｙとシアン着色層３Ｃとの積層からなる緑色画素部４Ｇ、およびシアン着色層３Ｃとマゼンタ着色層３Ｍとの積層からなる青色画素部４Ｂを有し、かつ上記反射光用画素部ｂは、シアン着色層３Ｃからなるシアン画素部４Ｃ、マゼンタ着色層３Ｍからなるマゼンタ画素部４Ｍ、およびイエロー着色層３Ｙからなるイエロー画素部４Ｙを有するものである。なお、通常各色の画素部間には、遮光部２が形成される。
【００１５】
また、このような半透過型液晶表示装置用カラーフィルタの平面図の一例を図２に示す。上記半透過型液晶表示装置用カラーフィルタは、例えば図２に示すように、赤色画素部４Ｒ、緑色画素部４Ｇ、および青色画素部４Ｂを有する透過光用画素部ａと、シアン画素部４Ｃ、マゼンタ画素部４Ｍ、およびイエロー画素部４Ｙを有する反射光用画素部ｂとを有する。
【００１６】
近年、このような半透過型液晶表示装置用カラーフィルタにおいては、反射光用領域の輝度の向上が求められており、例えば上述したように、反射光用画素部が、マゼンタ着色層およびイエロー着色層を並列に並べた赤色画素部と、イエロー着色層およびシアン着色層を並列に並べた緑色画素部と、シアン着色層およびマゼンタ着色層を並列に並べた青色画素部とからなるカラーフィルタの提案がなされている。しかしながら、このようなカラーフィルタは、色再現性が低いといった問題を有するものであった。
【００１７】
一方、本発明においては、反射光用画素部が、シアン着色層からなるシアン画素部、マゼンタ着色層からなるマゼンタ画素部およびイエロー着色層からなるイエロー画素部の３色の画素部で構成されたものとすることにより、上述した２色の着色層を発色させて１色の色を表示するカラーフィルタと比較して、ｘｙ色度図における各画素部の色座標を結んで形成される領域を広いものとすることができる。したがって、色再現領域の広い、色再現性の良好なカラーフィルタとすることができる。
【００１８】
また、本発明によれば、反射光用画素部が、シアン着色層からなるシアン画素部、マゼンタ着色層からなるマゼンタ画素部およびイエロー着色層からなるイエロー画素部を有するものとすることにより、シアン着色層、マゼンタ着色層およびイエロー着色層は、通常、広範囲の波長領域に渡って高い透過率を有する着色層が用いられるため、通常の３原色である赤、緑および青に比べて、輝度の高い画素部とすることが可能となる。したがって、反射光用領域における画素部の輝度が高い半透過型液晶表示装置用カラーフィルタとすることができる。
【００１９】
さらに、本発明においては、透過光用画素部が、イエロー着色層とマゼンタ着色層とを積層してなる赤色画素部、イエロー着色層とシアン着色層とを積層してなる緑色画素部およびシアン着色層とマゼンタ着色層とを積層してなる青色画素部からなるものであることにより、各色の画素部を構成する着色層を並列に配置し、同時発色させて赤色、緑色および青色を表示する場合と比較して、色再現領域を広くすることが可能となる。この理由を以下に示す。例えば図３に示すｘｙ色度図において、イエロー着色層とマゼンタ着色層とを並列に配置し、同時発色させた赤色の色座標Ｒ´は、イエローの色座標Ｙとマゼンタの色座標Ｍとを結んだ直線上に位置することとなるが、イエロー着色層とマゼンタ着色層とを積層させてなる赤色画素部の示す色の色座標Ｒは、イエローの色座標Ｙとマゼンタの色座標Ｍとを結んだ直線よりも外側に位置することとなる。同様に、イエロー着色層とシアン着色層とを並列に配置して表示される緑色の色座標Ｇ´は、ＹとＣ（シアンの色座標）とを結んだ直線上に、またシアン着色層とマゼンタ着色層とを並列に配置して表示される青色の色座標Ｂ´は、ＣとＭとを結んだ直線上に位置するが、本発明におけるイエロー着色層とシアン着色層とを積層してなる緑色画素部の色座標Ｇおよびシアン着色層とマゼンタ着色層とを積層してなる青色画素部の色座標Ｂは、それぞれ積層させた着色層の色座標同士を結んだ直線よりも外側に位置することとなるため、Ｒ´、Ｇ´およびＢ´の色座標を結んだ図形の領域よりも、Ｒ、ＧおよびＢの色座標を結んだ図形の領域の方が広いものとすることが可能となる。したがって、本発明によれば、透過光用画素部においても、色再現性の良好なカラーフィルタを得ることができるのである。
【００２０】
さらにまた、本発明によれば、シアン着色層、マゼンタ着色層およびイエロー着色層の３色の着色層を用いて、６色の画素部が形成されていることにより、例えばシアン着色層を形成する工程、マゼンタ着色層を形成する工程、およびイエロー着色層を形成する工程の３工程を行うことにより、製造されたものとすることができる。したがって、製造効率良く製造された半透過型液晶表示装置用カラーフィルタとすることができる。
以下、本発明の半透過型液晶表示装置用カラーフィルタについて、各構成に分けて詳しく説明する。
【００２１】
１．反射光用画素部
まず、本発明に用いられる反射光用画素部について説明する。本発明に用いられる透過光用画素部は、シアン着色層からなるシアン画素部、マゼンタ着色層からなるマゼンタ画素部、およびイエロー着色層からなるイエロー画素部を有するものである。
【００２２】
本発明に用いられるシアン着色層の波長４６０ｎｍ〜５２０ｎｍの範囲内の平均透過率は、７０％以上、特に８５％〜９５％の範囲内であることが好ましい。また、上記マゼンタ着色層の波長６２０ｎｍ〜７００ｎｍの範囲内の平均透過率は、８０％以上、特に９０％以上であることが好ましく、また波長４００ｎｍ〜４６０ｎｍの範囲内の平均透過率は、７０％以上、特に８０％〜９０％の範囲内であることが好ましい。さらに、上記イエロー着色層の波長５２０ｎｍ〜７００ｎｍの範囲内の平均透過率は、８５％以上、特に９５％以上であることが好ましい。上述した各着色層の平均透過率を上記範囲とすることにより、半透過型液晶表示装置に用いた際、より輝度の高いものとすることができるからである。
【００２３】
なお、上記透過率の測定方法としては、後述する透明基板の透過率をリファレンス（１００％）として、補色着色層の透過率を測定する方法を採用することができる。装置としては、紫外・可視分光光度計（例えば日立Ｕ−４０００等）、またはフォトダイオードアレイを検出器としている装置（例えば大塚電子ＭＣＰＤ等）を用いることができる。
【００２４】
このような各色の着色層よりなる各反射光用画素部の膜厚としては、各反射光用画素部が所望の色味となるよう適宜選択されるものであるが、例えば後述する透過光用画素部の膜厚を１とした際、反射光用画素部の膜厚は０．２〜１の範囲内とされることが好ましく、中でも０．３〜０．８の範囲内、特に０．４〜０．６の範囲内とされることが好ましい。これにより、さらに反射光用画素部の輝度向上を達成し、かつ色再現性を良好なものとすることができるからである。
【００２５】
また、このような反射光用画素部の膜厚として具体的には、０．５μｍ〜４．０μｍの範囲内とされることが好ましく、中でも０．６μｍ〜３．０μｍの範囲内、特に０．８μｍ〜２．０μｍの範囲内とされることが好ましい。
【００２６】
なお、上記反射光用画素部の膜厚は、走査電子顕微鏡（ＳＥＭ）等を用いて観察することにより、確認することができる。
【００２７】
２．透過光用画素部
次に、本発明に用いられる透過光用画素部について説明する。本発明に用いられる透過光用画素部は、イエロー着色層とマゼンタ着色層とを積層した赤色画素部、イエロー着色層とシアン着色層とを積層した緑色画素部、およびシアン着色層とマゼンタ着色層とを積層した青色画素部を有するものである。
【００２８】
本発明に用いられる赤色画素部、緑色画素部および青色画素部は、それぞれ２色の着色層を積層させて形成されるものであるが、積層させる２色の着色層の膜厚比は、形成される画素部が所望の色味となるよう適宜調整される。
【００２９】
また、本発明に用いられる赤色画素部、緑色画素部および青色画素部の積層体としての膜厚は、例えば０．８μｍ〜８μｍの範囲内とされることが好ましく、中でも１．０μｍ〜５．０μｍの範囲内、特に１．２μｍ〜３．０μｍの範囲内とされることが好ましい。
【００３０】
本発明において、上記透過光用画素部は、赤色画素部、緑色画素部および青色画素部に加えて、さらにシアン着色層からなるシアン画素部、マゼンタ着色層からなるマゼンタ画素、およびイエロー着色層からなるイエロー画素部の６色の画素部を有することが好ましい。これにより、透過光用画素部において、色再現性がより良好となるからである。
【００３１】
このような６色の画素部を有する透過光用画素部が形成された半透過型液晶表示装置用カラーフィルタとしては、例えば図４に示すように、赤色画素部４Ｒ、緑色画素部４Ｇ、青色画素部４Ｂ、シアン画素部４Ｃ、マゼンタ画素部４Ｍおよびイエロー画素部４Ｙを有する透過光用画素部ａと、シアン画素部４Ｃ、マゼンタ画素部４Ｍ、およびイエロー画素部４Ｙを有する反射光用画素部ｂとを有するものが挙げられる。
【００３２】
上記透過光用画素部におけるシアン画素部、マゼンタ画素部およびイエロー画素部の膜厚としては、反射光用画素部におけるシアン画素部、マゼンタ画素部およびイエロー画素部の膜厚よりも厚いことが好ましい。これにより、透過光用画素部および反射光用画素部の色味を同等なものとすることが可能となるからである。なお、透過光用画素部におけるシアン画素部、マゼンタ画素部およびイエロー画素部の膜厚を、反射光用画素部におけるシアン画素部、マゼンタ画素部およびイエロー画素部の膜厚よりも厚くする方法としては、例えば後述する同色の着色層を異なる膜厚で形成する方法と同様とすることができる。具体的には、例えばフォトリソグラフィー法により形成する場合、透過率の調整されたハーフトーン部を有するフォトマスクを用いる方法や、同色の着色層を２層重ねて形成する方法、また例えばインクジェット方式により形成する場合、用いるインクジェット装置の吐出量を調整する方法等を用いることができる。
【００３３】
上記透過光用画素部におけるシアン画素部、マゼンタ画素部およびイエロー画素部の膜厚は、例えば０．８μｍ〜８μｍの範囲内とされることが好ましく、中でも１．０μｍ〜５．０μｍの範囲内、特に１．２μｍ〜３．０μｍの範囲内とされることが好ましい。
【００３４】
なお、上記透過光用画素部の膜厚は、走査電子顕微鏡（ＳＥＭ）等を用いて観察することにより、確認することができる。
【００３５】
また、上記透過光用画素部に用いられるイエロー着色層、マゼンタ着色層およびシアン着色層は、上述した反射光用画素部に用いられる着色層と同様とすることができるので、ここでの説明は省略する。
【００３６】
３．透明基板
次に、本発明に用いられる透明基板について説明する。本発明に用いられる透明基板は、上記透明樹脂層及び上記着色層を形成可能であり、可視光に対して透明な基板であれば特に限定されるものではなく、一般的なカラーフィルタに用いられる透明基板と同様のものとすることができる。
【００３７】
具体的には、石英ガラス、パイレックス（登録商標）ガラス、合成石英板等の可撓性のない透明なリジッド材、あるいは、透明樹脂フィルム、光学用樹脂板等の可撓性を有する透明なフレキシブル材等が挙げられる。
【００３８】
４．半透過型液晶表示装置用カラーフィルタ
次に、本発明の半透過型液晶表示装置用カラーフィルタについて説明する。本発明の半透過型液晶表示装置用カラーフィルタは、上述した反射光用画素部、透過光用画素部および透明基板の他に、必要に応じて他の部材を有していてもよい。このような他の部材としては、例えば遮光部や、保護層、透明電極層、配向膜等を、必要に応じて適宜有するものであってもよい。
【００３９】
なお、上記遮光部、保護層、透明電極層、配向膜としては、一般的な半透過型液晶表示装置用のカラーフィルタに用いられるものと同様とすることができるので、ここでの詳しい説明は省略する。
【００４０】
また、本発明の半透過型液晶表示装置用カラーフィルタを半透過型液晶表示装置に用いた際、反射光用画素部の表示に用いられる反射光および透過光用画素部の表示に用いられる透過光のそれぞれが液晶を通過する距離を調整する必要があることから、通常、半透過型液晶表示装置には、反射光および透過光の光路差を調整する光路差調整層が設けられる。このような光路差調整層は、カラーフィルタ側に設けられていてもよく、またカラーフィルタに対向して配置される対向基板側に設けられていてもよい。また、光路差調整層がカラーフィルタ側に設けられる場合、光路差調整層は、着色層および透明基板間に設けられていてもよく、また着色層上に設けられていてもよい。
【００４１】
５．半透過型液晶表示装置用カラーフィルタの製造方法
次に、本発明の半透過型液晶表示装置用カラーフィルタの製造方法について説明する。本発明の半透過型液晶表示装置用カラーフィルタの製造方法としては、上記透過光用画素部および反射光用画素部を形成可能な方法であれば特に限定されるものではなく、例えばイエロー画素部形成領域、赤色画素部形成領域および緑色画素部形成領域にイエロー着色層を形成するイエロー着色層形成工程と、マゼンタ画素部形成領域、赤色画素部形成領域および青色画素部形成領域にマゼンタ着色層を形成するマゼンタ着色層形成工程と、シアン画素部形成領域、緑色画素部形成領域および青色画素部形成領域にシアン着色層を形成するシアン着色層形成工程とを有するものとすることができる。
【００４２】
上記イエロー着色層形成工程、マゼンタ着色層形成工程およびシアン着色層形成工程における着色層を形成する方法としては、透明基板上に着色層を形成することが可能な方法であれば特に限定されるものではなく、例えば各色の着色層形成用塗工液を用いて、フォトリソグラフィー法やインクジェット方式により形成する方法を挙げることができる。本発明においては、フォトリソグラフィー法により着色層を形成する方法が好ましい。なお、フォトリソグラフィー法およびインクジェット方式により着色層を形成する方法としては、一般的にカラーフィルタにおける着色層を形成する際に用いられる方法と同様とすることができる。
【００４３】
また、上記イエロー着色層形成工程、マゼンタ着色層形成工程およびシアン着色層形成工程は、それぞれ３領域に同色の着色層を形成する工程であるが、３領域のうち少なくとも１領域に形成される着色層の膜厚が、他の領域に形成される着色層の膜厚と異なる場合、例えばフォトリソグラフィー法においては、透過率の調整されたハーフトーン部を有するフォトマスクを用いて形成する方法や同色の着色層を２層重ねて形成する方法を用いることができ、また例えばインクジェット方式においては、用いるインクジェット装置の吐出量を調整する方法を用いることができる。
【００４４】
また、上述したように、透過光用画素部が６色の画素部より構成される場合、透過光用画素部におけるイエロー画素部、マゼンタ画素部およびシアン画素部の膜厚を、反射光用画素部におけるイエロー画素部、マゼンタ画素部およびシアン画素部の膜厚より厚く形成する際においても、上述した方法を用いることができる。
【００４５】
なお、本発明は上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００４６】
以下に実施例を示し、本発明をさらに具体的に説明する。
【００４７】
[実施例１]
（遮光部の形成）
厚さ０．７ｍｍの無アルカリガラス基板上に感光性樹脂組成物（東京応化工業（株）製  ＣＦＲＲ  ＤＮ−８３）をスピンコーティング法により塗布し、１００℃で３分間乾燥させ、厚さが約１．５μｍの遮光部を形成した。その後、このようにして形成された遮光部を超高圧水銀ランプで遮光パターンに露光した後、０．０５ｗｔ％水酸化カリウム水溶液で現像し、次いで、１８０℃の雰囲気下で３０分間放置することにより加熱処理を施して、着色層を形成すべき領域以外の遮光領域に遮光部（ブラックマトリックス）を形成した。
【００４８】
（着色層形成工程）
<イエロー着色層形成工程>
上記のようにして遮光部が形成されたガラス基板上に、下記の組成のイエロー着色層形成用塗工液をスピンコーティング法により、反射光用画素部の形成領域にて塗布厚さ１．０μｍとなるよう塗布した後、７０℃のオーブン中で３分間乾燥させ、イエロー着色層形成用塗工液の塗布膜を形成した。
その後、このようにして形成されたイエロー着色層形成用塗工液の塗布膜を超高圧水銀ランプを用いて、反射光用のイエロー画素部形成領域、透過光用の赤色画素部形成領域及び緑色画素部形成領域にのみ露光した後、０．０５ｗｔ％水酸化カリウム水溶液で現像し、次いで、１８０℃の雰囲気下で３０分間放置することにより加熱処理を施して、各画素部上にイエロー着色層を形成した。
ａ．イエロー着色層形成用塗工液の組成
（１）Ｃ．Ｉ．Ｐｉｇｍｅｎｔ  Ｙｅｌｌｏｗ  １５０                ６重量部
（２）分散剤（ビックケミー社製  ディスパービック１６１）          ３重量部
（３）モノマー（サートマー社製  ＳＲ３９９）                      ４重量部
（４）ポリマーＩ                                                  ５重量部
（５）開始剤（チバ・スペシャリティ・ケミカルズ社製  イルガキュア９０７）
２重量部
（６）プロピレングリコールモノメチルエーテルアセテート          ８０重量部
＊ポリマーＩはベンジルメタクリレート：スチレン：アクリル酸：２−ヒドロキシエチルメタクリレート＝１５．６：３７．０：３０．５：１６．９（モル比）の共重合体１００モル％に対して、２−メタクリロイルオキシエチルイソシアネートを１６．９モル％付加したものである。
【００４９】
<シアン着色層形成工程>
また、上述したイエロー着色層形成工程と同様の方法により、下記の組成のシアン着色層形成用塗工液を用いて塗布膜を形成し、反射光用のシアン画素部形成領域、透過光用の緑色画素部形成領域及び青色画素部形成領域にのみ露光し、各画素部上にシアン着色層を形成した。
ｂ．シアン着色層形成用塗工液の組成
（１）Ｃ．Ｉ．Ｐｉｇｍｅｎｔ  Ｇｒｅｅｎ  ３６＋Ｃ．Ｉ．Ｐｉｇｍｅｎｔ  Ｂｌｕｅ  １５：３                                                        ６重量部
（２）分散剤（ビックケミー社製  ディスパービック１６１）          ３重量部
（３）モノマー（サートマー社製  ＳＲ３９９）                      ４重量部
（４）ポリマーＩ                                                  ５重量部
（５）開始剤（チバ・スペシャリティ・ケミカルズ社製  イルガキュア９０７）
２重量部
（６）プロピレングリコールモノメチルエーテルアセテート          ８０重量部
【００５０】
<マゼンタ着色層形成工程>
さらに、上述したイエロー着色層形成工程と同様の方法により、下記の組成のマゼンタ着色層形成用塗工液を用いて塗布膜を形成し、反射光用のマゼンタ画素部形成領域、透過光用の青色画素部形成領域及び赤色画素部形成領にのみ露光し、各画素部上にマゼンタ着色層を形成した。
ｃ．マゼンタ着色層形成用塗工液の組成
（１）Ｃ．Ｉ．Ｐｉｇｍｅｎｔ  Ｖｉｏｌｅｔ  ２３                  ６重量部
（２）分散剤（ビックケミー社製  ディスパービック１６１）          ３重量部
（３）モノマー（サートマー社製  ＳＲ３９９）                      ４重量部
（４）ポリマーＩ                                                  ５重量部
（５）開始剤（チバ・スペシャリティ・ケミカルズ社製  イルガキュア９０７）
２重量部
（６）プロピレングリコールモノメチルエーテルアセテート          ８０重量部
【００５１】
[比較例１]
（遮光部の形成）
実施例１と同様の手順で遮光部を形成した。
【００５２】
（透明樹脂層の形成）
実施例１のイエロー着色層形成工程と同様の方法により、下記の組成の透明樹脂層形成用塗工液を用いて塗布膜を形成し、反射光用の画素領域にのみ露光し、反射光領域の下地となる透明樹脂層を形成した。
ｄ．透明樹脂層形成用塗工液の組成
（１）モノマー（サートマー社製  ＳＲ３９９）                      ７重量部
（２）ポリマーＩ                                                １０重量部
（３）開始剤（チバ・スペシャリティ・ケミカルズ社製  イルガキュア９０７）
３重量部
（４）プロピレングリコールモノメチルエーテルアセテート          ８０重量部
【００５３】
（着色層形成工程）
<赤色着色層形成工程>
上記のようにして遮光部が形成されたガラス基板上に、下記の組成の赤色層形成用塗工液をスピンコーティング法により、反射光用画素部にて塗布厚さ１．０μｍとなるよう塗布した後、７０℃のオーブン中で３分間乾燥させ、赤色層形成用塗工液の塗布膜を形成した。このとき透過光用画素部での塗布厚さは２．０μｍとなった。
その後、このようにして形成された赤色層形成用塗工液の塗布膜を超高圧水銀ランプを用いて、反射光用の赤色画素部形成領域、透過光用の赤色画素部形成領域にのみ露光した後、０．０５ｗｔ％水酸化カリウム水溶液で現像し、次いで、１８０℃の雰囲気下で３０分間放置することにより加熱処理を施して、各画素部上に赤色着色層を形成した。
ｅ．赤色着色層形成用塗工液の組成
（１）Ｃ．Ｉ．Ｐｉｇｍｅｎｔ  Ｒｅｄ  １７７                      ６重量部
（２）分散剤（ビックケミー社製  ディスパービック１６１）          ３重量部
（３）モノマー（サートマー社製  ＳＲ３９９）                      ４重量部
（４）ポリマーＩ                                                  ５重量部
（５）開始剤（チバ・スペシャリティ・ケミカルズ社製  イルガキュア９０７）
２重量部
（６）プロピレングリコールモノメチルエーテルアセテート          ８０重量部
【００５４】
<緑色着色層形成工程>
また、上述した赤色着色層形成工程と同様の方法により、下記の組成の緑色着色層形成用塗工液を用いて反射光用画素部、透過光用画素部の膜厚がそれぞれ赤色画素と同等となるよう塗布膜を形成し、反射光用の緑色画素部形成領域、透過光用の緑色画素部形成領域にのみ露光し、各画素部上に緑色着色層を形成した。
ｆ．緑色着色層形成用塗工液の組成
（１）Ｃ．Ｉ．Ｐｉｇｍｅｎｔ  Ｇｒｅｅｎ  ３６                    ６重量部
（２）分散剤（ビックケミー社製  ディスパービック１６１）          ３重量部
（３）モノマー（サートマー社製  ＳＲ３９９）                      ４重量部
（４）ポリマーＩ                                                  ５重量部
（５）開始剤（チバ・スペシャリティ・ケミカルズ社製  イルガキュア９０７）
２重量部
（６）プロピレングリコールモノメチルエーテルアセテート          ８０重量部
【００５５】
<青色着色層形成工程>
さらに、上述した赤色着色層形成工程と同様の方法により、下記の組成の青色層形成用塗工液を用いて反射光用画素部、透過光用画素部の膜厚がそれぞれ赤色画素と同等となるよう塗布膜を形成し、反射光用の青色画素部形成領域、透過光用の青色画素部形成領域にのみ露光し、各画素部上に青色着色層を形成した。
ｇ．青色着色層形成用塗工液の組成
（１）Ｃ．Ｉ．Ｐｉｇｍｅｎｔ Ｂｌｕｅ １５：６                    ６重量部
（２）分散剤（ビックケミー社製  ディスパービック１６１）          ３重量部
（３）モノマー（サートマー社製  ＳＲ３９９）                      ４重量部
（４）ポリマーＩ                                                  ５重量部
（５）開始剤（チバ・スペシャリティ・ケミカルズ社製  イルガキュア９０７）
２重量部
（６）プロピレングリコールモノメチルエーテルアセテート          ８０重量部
【００５６】
[評価]
実施例１および比較例１のカラーフィルタを用いてそれぞれ液晶表示装置を作製し、透過光用画素部における各画素部について、白色ＬＥＤ光源を用いて分光光度計により色度を測定した。その結果をｘｙ色度表示にて表１に示す。またこの時のＮＴＳＣ規格での色再現領域に対して表示可能な色度領域についても表１に示す。
【００５７】
【表１】
2008203666.tif 000003
【００５８】
また、上述の液晶表示装置における反射表示を想定し、作製した反射光用画素部の２倍の膜厚の透過光用画素部における各画素部について、太陽光下を想定しＤ６５光源を用いて色度を測定した。その結果をｘｙ色度表示にて表２に示す。またこの時の反射表示での白表示輝度についても表２に示す。
【００５９】
【表２】
2008203666.tif 000004
【００６０】
表１および表２から明らかなように、実施例１では、色再現性が良好で、かつ反射光用画素部の輝度の高いカラーフィルタを作製することができた。
【図面の簡単な説明】
【００６１】
【図１】本発明の半透過型液晶表示装置用カラーフィルタの一例を示す概略断面図である。
【図２】本発明の半透過型液晶表示装置用カラーフィルタの一例を示す平面図である。
【図３】本発明の半透過型液晶表示装置用カラーフィルタを説明するためのｘｙ色度図である。
【図４】本発明の半透過型液晶表示装置用カラーフィルタの他の例を示す平面図である。
【図５】従来の半透過型液晶表示装置を示す概略断面図である。
【図６】従来の半透過型液晶表示装置を示す概略断面図である。
【符号の説明】
【００６２】
１…透明基板
２…遮光部
３Ｃ…シアン着色層
３Ｍ…マゼンタ着色層
３Ｙ…イエロー着色層
４Ｒ…赤色画素部
４Ｇ…緑色画素部
４Ｂ…青色画素部
４Ｃ…シアン画素部
４Ｍ…マゼンタ画素部
４Ｙ…イエロー画素部
ａ…透過光用画素部
ｂ…反射光用画素部
【図１】
2008203666.tif 000005
【図２】
2008203666.tif 000006
【図３】
2008203666.tif 000007
【図４】
2008203666.tif 000008
【図５】
2008203666.tif 000009
【図６】
2008203666.tif 000010